Podtech/llm-jp-corpus-v4-ja_patent huggingface dataset:
(57)【要約】      （修正有）【課題】カラオケ店に設置されている多数のカラオケ端末装置の、音量、音質、エコー、キーなど各種パラメータの設定を一度で行う。【解決手段】センターサーバと通信回線で接続されたカラオケ店１の多数のカラオケ端末装置６、７、８、９からなるネットワークカラオケシステムにおいて、店舗内の各カラオケ端末で共通な各種設定情報をストレージ５に保存し、当該店舗に接続されているカラオケ端末装置が当該設定情報を参照することにより、当該カラオケ店内すべてのカラオケ端末装置の設定を変更する。【選択図】図１
2017062449.tif 000002
【特許請求の範囲】
【請求項１】
センターサーバと通信回線で接続された多数のカラオケ端末装置からなるネットワークカラオケシステムにおいて、
複数のカラオケ端末装置を設置する店舗があるときに、
カラオケ店舗内のカラオケ端末で共通な各種設定情報を保存し、
当該店舗に接続されているカラオケ端末装置が当該設定情報を参照することにより、
当該カラオケ店内すべてのカラオケ端末装置の設定を共通化できることを特徴とするネットワークカラオケシステム。
【請求項２】
請求項１において、
カラオケ端末装置の各種設定情報を、
当該店舗に接続されているカラオケ端末装置から設定できることを特徴とする請求項１記載のネットワークカラオケシステム。
【発明の詳細な説明】
【技術分野】
【０００１】
本発明は、カラオケ端末装置の各種パラメータのうち店舗内で共通な設定を店舗内で展開する手法に関するものである。
【背景技術】
【０００２】
ネットワークカラオケシステムにおいてカラオケ店の個室に設置されているカラオケ端末装置には、音量、音質、エコー、キーなど端末装置毎に各種パラメータが設定されている。
【０００３】
これらのパラメータは、各カラオケ店舗毎の立地、客層、歌唱楽曲の傾向等による音響等の調整のため、初期値の設定は各店舗毎に行われることが一般的である。
【０００４】
上記パラメータは店ごとに一台ずつ店舗のスタッフが設定しており、同じパラメータであっても一台ずつ全部のカラオケ端末装置に設定しているのが実情である。
しかし、カラオケ機器に新機能が追加されることに伴い設定の変更が必要になる場合もあり、その場合は一台ずつスタッフがまた手作業で設定し直す必要がある。
【０００５】
かつて主流だった集中管理型カラオケ以外のカラオケ装置においては、個々のカラオケの設定を一台ずつ行うしかないため、これを一括で設定して設定したいというニーズがあった。
【先行技術文献】
【特許文献】
【０００６】
【特許文献１】特開平８−１６６７９０号公報
【特許文献２】特開平８−６３１７９号公報
【発明の概要】
【発明が解決しようとする課題】
【０００７】
特許文献１は、付属機器の変更に当たっての子機のハードウェア変更を不要とした集中管理型カラオケ装置を提供することを課題に、本集中管理型カラオケ装置はその中央制御装置に備えられたハードディスクに、付属機器制御用プログラムを記憶している。ＤＩＰスイッチによって付属機器の種別に対応する機器種別を設定すると、マイクロコンピュータは、設定された機器種別に応じた付属機器制御用プログラムをカラオケ端末装置のＲＡＭにダウンロードする。このため、例えばレーザディスクを使用する映像再生装置が接続されていたものにＣＤ−ＲＯＭを使用する映像再生装置を接続する場合には、ＤＩＰスイッチの設定を変更するだけで済み、カラオケ端末装置の交換あるいはその一部を改造する等のハードウェアの変更は不要となる。
【０００８】
特許文献２は、短時間で簡単にそれぞれの端末機が設置された地域の地域情報番組を自動的に選択することができるカラオケ装置を提供する。データベースが、複数の地域コードごとに予め設定された地域情報番組を記録し得るメモリと、機能リクエストがあった端末機の地域コードを識別し得る装置と、その地域コードに対応してメモリに記録された地域情報番組を選択的に出力し得る装置とを具備したカラオケ情報装置である。
【課題を解決するための手段】
【０００９】
特許文献１は、集中管理型カラオケ機器の場合のカラオケ端末装置へのプログラムダウンロードに係る出願であり、カラオケ端末の付属機器の変更をハードウェアの変更なしで対応するための出願であり、店舗毎のカラオケ端末装置のパラメータ設定を意識したものではない。
【００１０】
特許文献２は、各地に分散しているカラオケ端末にサーバから番組を配信するというものであり、店舗内にある複数のカラオケ端末に設定するデータの一元管理するというものではない。
【００１１】
上記の問題を解決するために、本発明の請求項１はセンターサーバと通信回線で接続された多数のカラオケ端末装置からなるネットワークカラオケシステムにおいて、複数のカラオケ端末装置を設置する店舗があるときに、カラオケ店舗内の各カラオケ端末で共通な各種設定情報を保存し、当該店舗に接続されているカラオケ端末装置が当該設定情報を参照することにより、当該カラオケ店内すべてのカラオケ端末装置の設定を変更できることを特徴とするネットワークカラオケシステムである。
【００１２】
また本発明の請求項２は、上記請求項１において、カラオケ端末装置の各種設定情報を、当該店舗に接続されているカラオケ端末装置から設定できることを特徴とする請求項１記載のネットワークカラオケシステムである。
【発明の効果】
【００１３】
これにより、カラオケ店舗内における各カラオケ端末装置の設定を一元的に管理でき、店舗スタッフの負担が軽減される。
【図面の簡単な説明】
【００１４】
【図１】本発明の請求項１の実施例を示した説明図である。
【図２】本発明の請求項２の実施例を示した説明図である。
【発明を実施するための形態】
【００１５】
本発明の請求項１の実施例を図１により説明する。
カラオケ店１はルータ経由でカラオケサーバ（非表示）に接続されている。カラオケ店１にはルータ３に接続されたカラオケ端末装置６〜９が接続されている。
カラオケ端末装置６〜９に共通に設定される設定値は共通のストレージ５に書き込まれ、各カラオケ端末装置６〜９は任意の時間に当該ストレージ５にアクセスして設定値をダウンロードする。例えばカラオケ端末装置の電源が投入されたタイミングでダウンロードするなどであってもよい。
【００１６】
図２は、本発明の請求項２の実施例である。ここでストレージ５は、例えばカラオケ端末装置６に接続されている。カラオケ端末装置７〜９は任意の時間に当該ストレージ５にアクセスして設定値をダウンロードする。
【００１７】
請求項１、請求項２においてもストレージ５への設定値の書き込み方は問わない。例えば、ストレージ５にPCを直接接続して書き込む、特定のカラオケ端末装置（例えばカラオケ装置６）から書き込む、予め設定値をストレージ５に書き込んだあとで接続するなどであってもよい。
【産業上の利用可能性】
【００１８】
これにより、カラオケ店はカラオケ端末装置の各種設定が楽になりコストダウンを図ることができる。
【符号の説明】
【００１９】
１・・カラオケ店
２・・LAN
３・・ルータ
５・・ストレージ
６・・カラオケ端末装置
７・・カラオケ端末装置
８・・カラオケ端末装置
９・・カラオケ端末装置
【図１】
2017062449.tif 000003
【図２】
2017062449.tif 000004
(57)【要約】【課題】  片手で果実を摘み取り収納が簡単に出来両手が自由に使える事を提供する。【解決手段】  果実収穫用容器の正面（１）となる面の上部を図のように手首などがゆったり入る大きさにカットした手指し溝（２）を設け、図のごとく手触りの良い布や樹脂等（３）で容器上部縁を覆い、容器上部の両壁約中央部に図のごとく任意の巾を持つゴム紐（４）を設けたベリー類等の果実収穫用容器を特徴とする。【選択図】図１
2017060458.tif 000002
【特許請求の範囲】
【請求項１】
果実収穫用容器の正面（１）となる面の上部を図のように手首などがゆったり入る大きさにカットした手指し溝（２）を設け、図のごとく手触りの良い布や樹脂等（３）で容器上部縁を覆い、容器上部の両壁約中央部に図のごとく任意の巾を持つゴム紐（４）を付けたベリー類等の果実収穫用容器。
【発明の詳細な説明】
【技術分野】
【００１】  この発明は果実収穫の手作業を楽にするベリー類果実収穫用容器に関するものである。
【背景技術】
【００２】  従来、収穫用の容器はカゴ、袋、器として別なところに設置するか腰や背中に背負い手作業に労力がかかっていた。
【先行技術文献】
【特許文献】
【００３】
【特許文献１】
【発明の概要】
【発明が解決しようとする課題】
【００４】  これには次のような欠点があった。腰に付けた場合は、位置を確認し、入れる動作や障害物を避ける動作などで体裁が悪かった。別な所に設置した場合でも、動作に時間がかかっていた。
【課題を解決するための手段】
【００５】  果実収穫用容器の正面（１）となる面の上部を図のように手首などがゆったり入る大きさにカットした手指し溝（２）を設け、図のごとく手触りの良い布や樹脂等（３）で容器上部縁を覆い、容器上部の両壁約中央部に図のごとく巾広のゴム紐（４）を付ける。
本案は、以上の構成よりなるベリー類等の果実収穫用容器である。
【発明の効果】
【００６】果実収穫容器についている紐を図のように片手の指に絡ませ容器自体を収穫する手首に下げられ片手で収穫しもう片方の手で枝などを寄せたり出来る。
【図面の簡単な説明】
【００７】
【図１】は本発明の斜視図
【図２】は使用状態図
【発明を実施するための形態】
【００８】  果実収穫用容器の正面（１）となる面の上部を図のように手首などがゆったり入る大きさにカットした手指し溝（２）を設け、図のごとく手触りの良い布や樹脂等（３）で容器上部縁を覆い、容器上部の両壁約中央部に図のごとく巾広のゴム紐（４）を付ける。
本案は、以上の構造である。
これを使用するときは、果実収穫容器についている巾広のゴム紐を図のように片手の指に絡ませ容器自体を収穫する手首に下げられ片手で収穫しもう片方の手で枝などを寄せたり、必要であれば他の道具を使用すればよい。
【符号の説明】
【００９】（１）本発明本体
（２）手指し案内溝
（３）縁カバー
（４）巾広ゴム紐
【図１】
2017060458.tif 000003
【図２】
2017060458.tif 000004
(57)【要約】      （修正有）【課題】歯間清掃具の全体を乾燥させ、保管することができる衛生的な保管具を提供する。【解決手段】歯間清掃具保管棒は、小児用歯ブラシと同等の長さの平たい棒１の一端を、クリップ状にしたもので、歯間清掃具３をクリップ２で挟持することにより、歯間清掃具と歯間清掃具保管棒との接する面積を、従来の保管具よりも小さく抑える事ができるため、歯間清掃具についた水分を乾燥させ、衛生的な保管を実現すること、及び歯間清掃具の保管場所の省スペース化を図ることができる。【選択図】図１
2017060727.tif 000002
【特許請求の範囲】
【請求項１】
棒の一端にクリップを設けた歯間清掃具保管棒
【発明の詳細な説明】
【技術分野】
【０００１】  本発明は、小児用歯ブラシと同等の長さの平たい棒の一端を、クリップ状にした歯間清掃具保管のための棒に関する。
【背景技術】
【０００２】  従来の歯間清掃具保管具には、上部の空いた短い筒状の容器の中に歯間清掃具を立てて保管するものがある（例えば、特許文献１参照。）。
【先行技術文献】
【特許文献】
【０００３】
【特許文献１】特開２０１１−１５９３２号公報
【発明の概要】
【発明が解決しようとする課題】
【０００４】  以上に述べた従来の歯間清掃具保管具では、歯間清掃具についた水分が容器内にたまり、歯間清掃具の持ち手部分が乾燥せず不衛生であった。また、保管具を置くスペースを独自にとらなければならないため、置き場所を確保する必要性があった。【０００５】  本発明は、このような従来の保管具が有していた問題を解決しようとするものであり、歯間清掃具全体についた水分を乾燥させ、衛生的な歯間清掃具の保管を実現すること及び歯間清掃具保管時の省スペース化を目的とするものである。
【課題を解決するための手段】
【０００６】  そして、本発明は、上記目的を達成するために小児用歯ブラシと同等の長さの平たい棒の一端を、クリップ状にしたものである。
【発明の効果】
【０００７】  上述したように、本発明の歯間清掃具保管棒は、歯間清掃具をクリップで挟持することにより、歯間清掃具と歯間清掃具保管棒との接する面積を、従来の保管具よりも小さく抑える事ができる。そのことにより歯間清掃具の全体を乾燥させ保管することができ、衛生的な保管具を提供できる。【０００８】  また、棒の部分を小児用歯ブラシと同等の長さにすることにより、歯間清掃具を挟持した時に、全高が大人用歯ブラシと同程度の高さになる。そのことにより、高さの制限のある歯ブラシたてに保管する場合であっても、歯ブラシと共に保管でき独自に保管スペースをとる必要がない。従って、従来の保管具と比べて保管場所の省スペース効果を発揮するものである。
【図面の簡単な説明】
【０００９】
【図１】  本発明の斜視図である。
【図２】  本発明側面図である。
【発明を実施するための形態】
【００１０】  以下、本発明を実施するための形態について説明する。
小児用歯ブラシと同等の長さの棒の先端に、それ自身を片側とするクリップを設ける。
本発明は、以上のような構造である。
これを使用するときは、先端のクリップ部で歯間清掃具を挟持し、歯ブラシと共に保管すればよい。
【符号の説明】
【００１１】  １  小児用歯ブラシと同等の長さの棒（クリップの片側を担う）
２  クリップの片側
３  歯間清掃具
【図１】
2017060727.tif 000003
【図２】
2017060727.tif 000004
(57)【要約】【課題】    腕章を着脱するとき、安全ピンで衣服や肌を傷つけず、手軽に着脱できることを目的とする。【解決手段】  伸縮性のある平ゴムとマジックテープを併用してなる腕章。【選択図】図１
2017060724.tif 000002
【特許請求の範囲】
【請求項１】
伸縮機能を有する幅広平ゴムに標記を記載できる帯状のシート基礎部があり、平ゴムの両端にマジックテープを接合して構成する腕章。
【発明の詳細な説明】
【技術分野】
【０００１】  本発明は腕に付ける腕章に関する。
【背景分野】
【０００２】  従来の腕章は、安全ピンとボタン止めが主であった。
【先行技術文献】
【特許文献】
【０００３】
【特許文献１】特開２００７−２０６４７  未請求
【特許文献２】特開２００７−２５５７３  未請求
【特許文献２】特開２０１０−９９２０１  未請求
【発明の概要】
【発明が解決しようとする課題】
【０００４】  しかしながら、腕章を腕につける時、上衣の一部に安全ピンで固定する時、薄手のものや、レース状の布地のとき、安全ピンで固定するのは、服の布地が破損したりする状態が起こると想定される場面も見受けられた。
【課題を解決するための手段】
【０００５】  本発明は、従来の安全ピンとボタンに依る固定方法ではなく、平ゴムとマジックテープにより固定することを特徴とする腕章である。
幅広の平ゴムに標示部となる帯状のシート基礎部分を固定し、その両端にマジックテープを接合する腕に合わせて微調整するには、マジックテープによる締め具合とする。
【発明の効果】
【０００６】  本体となる基礎部を伸縮性のある平ゴムに固定し、微調整はマジックテープの交差による接合なので、衣服に損傷を与えることなく腕に固定できる。これにより、腕章を胸にぶら下げたり、腰に下げたりするボランティア活動もきもちよく出来る。
安全ピンを使用しないので、衣服や肌への安全性も確実となり、安全ピンを止める時に他人に依頼する必要がなくなり自分一人で腕章を装着することができる。
【図面の簡単な説明】
【０００７】
【図１】  本件発明の概略図
【図２】  本件発明の平ゴム部分を折り曲げた図
【発明を実施するための形態】
【０００８】  本発明の腕章は、腕に平ゴム部を当てるように巻き、当該人が丁度よいと思う位置でマジックテープ部分を交差して装着する。叉、マジックテープ部は心持ち強めに交差させることが大切である。
【符号の説明】
【０００９】１  基礎部
２  平ゴム
３  マジックテープ
【図１】
2017060724.tif 000003
【図２】
2017060724.tif 000004
(57)【要約】【課題】    傘のしずく取りは、業務用はともかく、家庭用としての製品はまれであり、傘のしずくで玄関を汚したり、マットにシミを作ったりしてしまう。家庭用に使いやすく、収納しやすい傘のしずく取りを提供する。【解決の手段】  折りたたみ式・円錐型・四角筒型の内面壁にクロス（マイクロファイバークロス等）を張り、折りたたみ式等は、立板の３つの角線の各々において上中下３か所に蝶番止めを設け、残りの１つに角線に上下に三つの止めフックを設け、底部域を外から包むようにトレー部を設け、トレー部の壁面一か所にフック掛け穴を設けたことを特徴とする傘しずく取り。【特許請求の範囲】
【請求項１】
折りたたみ式・円錐型・四角筒型等から成る傘のしずく取りであるが、折りたたみ式は、立板４枚を四角筒形に置き、角をなして隣接する各立板間に約５ｍｍ程度の隙間を作り、この隙間で成る４つの角線の内３つの各々において、上下端部近くに計２か所、その中間に１か所、計３か所に蝶番止めを施し、残りの１つの角線には、同様の位置３か所に止めフックを設け、各立板の内面に、撥水性の高いクロス（マイクロファイバークロス等）を張り、４枚の立板面の任意の１か所に掛けフックを設け、斯くしてしずく取り部を形成し、しずく取り部の底部を外から包むように嵌め込むトレー部を設け、トレー部の４つの壁面の任意の１か所にフック掛け穴を作り、３つの止めフックを外すと１枚の板状に成り、それを２枚に折りたたみ，掛けフックにトレー部のフック掛け穴を掛けると、３ｃｍ程度の厚みに束ねられ狭い場所でも収納しやくなるのであって、全体の形状は固定的な四筒角型・円錐型であってもよく、内部壁面に撥水性クロス（マイクロファイバークロス等）を張り、底部のトレー部の形を対応させば、同じ効果が得られることを特徴とする傘のしずく取り。
【発明の詳細な説明】
【技術の分野】
【０００１】  本発明は，家庭用の雨傘のしずく取りに関するものである。
【背景技術】
【０００２】  雨傘のしずく取りは、業務用は製作されているが、家庭用は傘立て売り場でも見たことがない。
【発明の概要】
【発明が解決しようとする課題】
【０００４】  家庭の玄関に置いて使用するしずく取りが見当たらない。マンション等では、通路のドアの取手等に下げ、通路に絨毯などひいているところはシミとなっている。マンションの通路は、共用部分であり、ドアの取手や通路に傘を置くことは禁じられている。一軒家では、しずく取りができないため、ドアの外に傘立てをおいたりする。
本発明は、以上の問題点を解決するものである。
【課題を解決する手段】
【０００５】  折りたたみ式・円錐型・四角型等、諸形態を成す傘のしずく取りであるが、折りたたみ式は、立板４枚を四角筒型に置き、角をなして隣接する各立板間に約５ｍｍ程度の隙間を作り、この隙間で成る４つの角線の内３つの各々において、上下端部近くに計２か所、その中間に１か所、計３か所に蝶番止めを施し、残りの１つの角線には、同様の位置３か所に止めフックを設け、各立板の内面に、撥水性の高いクロス（マイクロファイバイクロス等）を張り、４枚の立板面の任意の１か所に掛けフックを設け、斯くしてしずくとり部と成す。しずく取り部の底部を外から包むように嵌め込むトレー部を設ける。トレー部の４つの壁面の任意の１か所にフック掛け穴を設ける。しずく取り部の３つの止めフックを外すと１枚の板状に成り、それを２枚に折って掛けフックにトレー部のフック掛け穴を掛けると、３ｃｍ程度の厚みに成り収納しやすい。全体の形状は固定的な四角型であってもよく、また、円錐状であってもよく、内部壁面に撥水性クロス（マイクロファイバークロス等）を張り、底部のトレーの形を対応させれば、まったく同じ効果が得られる。
以上を特徴とする傘のしずく取りである。
【発明の効果】
【０００６】  家庭用の雨のしずく取りは殆ど普及していない。玄関が広い場合は円錐型・四角型の様な常時玄関に置くのに適したものは装飾を施し、デザイン性を重視し、インテリアの一つにもなる。また、四角型は傘立てとも併用して一体化しても製作することが可能である。折りたたみ式は、非使用時外にはコンパクトに折りたたんで３ｃｍ程の厚みに束ねられるので少スペースに収納でき、普段は玄関を広く使用することができる。内側はクロス（マイクロファイバアークロス等）を使用しているため、しずくの撥水、吸収がよく乾燥も早い。折りたたみ式は、止めフックを外すと１枚の板状になり、日光に干すこともでき、収納時には２枚に折りたためて場所もとらない。
【図面の簡単な説明】
【０００７】
【図１】本発明の折りたたみ型の斜視図
【図２】本発明の円錐型の斜視図
【図３】本発明の四角筒型の斜視図
【発明を実施するための形態】
【０００８】  以下、本発明の実施の形態を説明する
折りたたみ式は、しずく取り部（１５）は、立板（１）４枚を四角筒型に置き、各立板（１）の間に約５ｍｍ程度の隙間を作り、隙間で成る４つの角線（２）の内の３つの各々において、上下端部近くに計２か所、その中間に１か所、計３か所に蝶番止め（４）を施し、残りの１つの角線（２）には、同様の位置３か所に止めフック（５）を設ける。縦長筒状のしずく取り部（１５）の下端に、しずく取り部（１５）の底部を、外から包むように嵌め込むトレー部（６）を設ける。各立板（１）の内面に撥水性に富むクロス（３）を張る。立板（１）４枚の任意の１か所に掛けフック（８）を設ける。トレー部（６）の任意の１か所にフック掛け穴（７）を設け、止めフック（５）を外すと１枚の板状に成り、２枚折りにし掛けフック（８）にトレー部の（６）のフック掛け穴（７）を下げると、３ｃｍ程度になり狭い場所でも収納できる。縦長筒状は、固定的な四筒角型（９）であってもよく、４隅の接着部（１３）を接着し、トレー部（６）にはめ込み上部に押え枠（１４）をはめる。又、円錐型（１２）は、台座（１１）に差し込み穴（１０）を設け、トレー部）（６）を接着し、円錐筒を嵌め込む。しずく取り部（１５）の内部壁面に撥水性クロス（３）を張り、底部のトレー部（６）の形を対応させれば、全く同じ効果が得られる。
本発明は以上のような構造であり、以下、その具体的な使用形態を説明する。
【符号の説明】
【０００９】１      立板
２      角線
３      クロス
４      蝶番止め
５      止めフック
６      トレー部
７      フック掛け穴
８      掛けフック
９      四角型
１０    差し込み穴
１１    台座
１２    円錐型
１３    接着部
１４    押え枠
１５    しずく取り部
【図１】
2017060723.tif 000002
【図２】
2017060723.tif 000003
【図３】
2017060723.tif 000004
(57)【要約】      （修正有）【課題】従来の長財布の中に入れて使い、財布の中で増えるカード類に対応するべく、新しいタイプのカードケースを提供する。【解決手段】カード類４が縦に収まるようにポケット２を配置し、カード類４を縦に入れる事により、長財布に無駄がなく重なり部分も最小限に抑えているため、厚みも小さくカード類４の識別も容易に出来る様にした。【選択図】図３
2017060721.tif 000002
【特許請求の範囲】
【請求項１】
長財布内でカード類を立てて収納する形を特許とするケース。
【請求項２】
前記ケースは薄型で長財布内に入れて使うことを特徴とする請求項１記載のカードケース。
【発明の詳細な説明】
【技術分野】
【０００１】この発明は長財布に多くのカード類を整理して入れる形状に関する。
【背景技術】
【０００２】増え続けるカード類の整理に困って、どうにか多くのカード類を見やすく取り出しやすく収納出来ないものかと考えた。
【発明の概要】
【発明が解決しようとする課題】
【０００３】普及している長財布に用いられてるカード収納用ポケットとは別にカード類を縦に収納することによって多くの収納を可能にするもの昨今何かと数が増える財布内のカード等に対応する。
【課題を解決するための手段】
【０００４】しかしながらこのケースを財布の中に入れる事により不便だったカードの出し入れがスムーズになり見つけやすい。
幾つかの仕切りを用いて縦にカードを入れるものとする。
【発明の効果】
【０００５】従来の長財布の中に入れて使うものとする。
カードを立てて収納する事により長財布の形状と合い無駄がなく多くのカード類を見やすく取り出しやすく整理して収納出来る。
【図面の簡単な説明】
【図１】この発明の一実施形態を、図１に示す、正面図である。
【図２】この発明を横に真ん中符号５で切った時の断面図である。
【図３】この発明にカード類を差し込んだ図である。
【図４】差し込んだカード類の図である。
【発明を実施するための形態】
【０００６】材質によりカード類が張付いて取出し難くなる場合を避けるため下部分に扇型の穴を開ける。
材質は薄手の革が柔軟なビニール等でカード類が張付かない素材が好ましいが、あまり滑るものもカード類が落ちやすい。
ケースは薄型でカード類は重なる部分を２枚までとする。
【実施形態の効果】
【０００７】図３のようにカード類を縦に入れる事により長財布に無駄がなく重なり部分も最小限に抑えているため厚みも小さくカード類の識別も容易に出来る。
【符号の説明】１．カードケース土台    ２．カードを仕切るポケット
３．ミシンによる縫い目  ４．カード類  ５．断面図の切線
Ａ．Ｂ．Ｃ．Ｄ．Ｅ．カード類
【図１】
2017060721.tif 000003
2017060721.tif 000004
【図４】
2017060721.tif 000005
【手続補正書】
【提出日】平成27年12月5日(2015.12.5)
【手続補正１】
【補正対象書類名】図面
【補正対象項目名】全図
【補正方法】変更
【補正の内容】
【図１】
2017060721.tif 000006
【図２】
2017060721.tif 000007
【図３】
2017060721.tif 000008
【図４】
2017060721.tif 000009
(57)【要約】【課題】簡単な構成によってチャタリングの問題を解決したチャージポンプ回路を提供する。【解決手段】クロック信号によりキャパシタに充放電を行うことで入力電圧を昇圧した昇圧電圧を生成するチャージポンプ本体と、該チャージポンプ本体から出力する昇圧電圧が所定値を超えるとき検出電圧を出力するレベル検出回路と、を有するチャージポンプ回路において、前記レベル検出回路から出力する前記検出電圧を前記クロック信号によってサンプルホールドするサンプルホールド回路を備えた。【選択図】図１
2017060318.tif 000002
【特許請求の範囲】
【請求項１】
クロック信号によりキャパシタに充放電を行うことで入力電圧を昇圧した昇圧電圧を生成するチャージポンプ本体と、該チャージポンプ本体から出力する前記昇圧電圧が所定値を超えるとき検出電圧を出力するレベル検出回路と、を有するチャージポンプ回路において、
前記レベル検出回路から出力する前記検出電圧を前記クロック信号によってサンプルホールドするサンプルホールド回路を備えたことを特徴とするチャージポンプ回路。
【請求項２】
請求項１に記載のチャージポンプ回路において、
前記レベル検出回路はコンパレータで構成され、
前記サンプルホールド回路は前記クロック信号によって前記コンパレータの出力電圧をサンプルホールドするフリップフロップ回路で構成されている、
ことを特徴とするチャージポンプ回路。
【発明の詳細な説明】
【技術分野】
【０００１】
本発明は、チャージポンプ本体と該チャージポンプ本体から出力する昇圧電圧が所定値を超えるとき検出電圧を出力するレベル検出回路とを有するチャージポンプ回路に関する。
【背景技術】
【０００２】
一般的に、チャージポンプ回路は、図４に示すように、クロック信号ＣＬＫによりキャパシタの充放電を行って入力電圧の昇圧を行うチャージポンプ本体１０と、そのチャージポンプ本体１０で生成された昇圧電圧Ｖ１を検出するレベル検出回路２０とを備えている。
【０００３】
図５に示すように、チャージポンプ本体１０は複数段のチャージポンプ１１，１１，・・・で構成されている。また、レベル検出回路２０は基準電圧Ｖｒｅｆが設定されたコンパレータ２１で構成されている。そして、チャージポンプ本体１０の特定のチャージポンプ１１の昇圧電圧Ｖ１がコンパレータ２１の基準電圧Ｖｒｅｆを超えていれば、そのコンパレータ２１からハイレベルの検出電圧Ｖ２が出力する。このようなチャージポンプ回路として特許文献１に記載がある。
【０００４】
ところが、上記構成のチャージポンプ回路は、図６に示すように、チャージポンプ本体１０の昇圧電圧Ｖ１がクロック信号ＣＬＫの周期に同期して段階的に上昇するので、コンパレータ２１の基準電圧Ｖｒｅｆを横切るタイミングが何度も発生し、この複数のタイミングで検出電圧Ｖ２がロウレベルに変化する。このため、コンパレータ２１から出力する検出電圧Ｖ２にチャタリングが発生する。
【先行技術文献】
【特許文献】
【０００５】
【特許文献１】特開平１０−２９０５６３号公報
【発明の概要】
【発明が解決しようとする課題】
【０００６】
そこで、従来ではコンパレータ２１に大きなヒステリシスを持たせる対策をとっていたが、この手法によれば回路構成が複雑となり、しかもＰＶＴ（プロセス、電源電圧、温度）のバラツキを入念に検証した設計が必要となっていた。なお、積分回路を付加することも行われたが、同様の問題があった。
【０００７】
本発明の目的は、簡単な構成によって上記したようなチャタリングの問題を解決したチャージポンプ回路を提供することである。
【課題を解決するための手段】
【０００８】
上記目的を達成するために、請求項１にかかる発明のチャージポンプ回路は、クロック信号によりキャパシタに充放電を行うことで入力電圧を昇圧した昇圧電圧を生成するチャージポンプ本体と、該チャージポンプ本体から出力する前記昇圧電圧が所定値を超えるとき検出電圧を出力するレベル検出回路と、を有するチャージポンプ回路において、前記レベル検出回路から出力する前記検出電圧を前記クロック信号によってサンプルホールドするサンプルホールド回路を備えたことを特徴とする。
【０００９】
請求項２にかかる発明は、請求項１に記載のチャージポンプ回路において、前記レベル検出回路はコンパレータで構成され、前記サンプルホールド回路は前記クロック信号によって前記コンパレータの出力電圧をサンプルホールドするフリップフロップ回路で構成されている、ことを特徴とする。
【発明の効果】
【００１０】
本発明によれば、レベル検出回路で得られる検出電圧をサンプルホールドするので、簡単な構成によってチャタリングの問題を解決することができる。
【図面の簡単な説明】
【００１１】
【図１】本発明の実施例のチャージポンプ回路のブロック図である。
【図２】図１のチャージポンプ回路の具体的回路図である。
【図３】図２のチャージポンプ回路の動作波形図である。
【図４】従来のチャージポンプ回路のブロック図である。
【図５】図４のチャージポンプ回路の具体的回路図である。
【図６】図５のチャージポンプ回路の動作波形図である。
【発明を実施するための形態】
【００１２】
図１に本発明の１つの実施例のチャージポンプ回路を示す。本実施例では、クロック信号ＣＬＫによりキャパシタの充放電を行って入力電圧の昇圧を行うチャージポンプ本体１０と、そのチャージポンプ本体１０で生成された昇圧電圧Ｖ１を検出するレベル検出回路２０と、そのレベル検出回路２０で得られた検出電圧Ｖ２を入力してサンプルホールドした出力電圧Ｖ３を出力するサンプルホールド回路３０を接続している。
【００１３】
チャージポンプ本体１０とレベル検出回路２０は、図４及び図５で説明したものと同じである。サンプルホールド回路３０は、図２に示すように、Ｄ型フリップフロップ回路３１で構成され、Ｄ端子に入力している検出電圧Ｖ２のサンプリングは、チャージポンプ本体１０を制御するクロック信号ＣＬＫの立上りエッジで行われる。
【００１４】
この結果、図３に示すように、昇圧電圧Ｖ１が最初に基準電圧Ｖｒｅｆを越えた直後のクロック信号ＣＬＫの立上り時点ｔ１において、Ｄ型フリップフロップ回路３１で検出電圧Ｖ２がサンプリングされて、これにより出力電圧Ｖ３がハイレベルになると、その後はＤ型フリップフロップ回路３１が出力電圧Ｖ３をハイレベルにホールドする。
【００１５】
以上から、コンパレータ２１から出力する検出電圧Ｖ２にチャタリングが発生していたとしても、出力電圧Ｖ３にその影響は現れない。また、Ｄ型フリップフロップ回路２１は高電位電源電圧か低電位電源電圧のいずれか一方を出力するので、ＰＶＴのバラツキの影響を受けることはなく、チャージポンプ本体１０で生成された昇圧電圧Ｖ１が基準電圧Ｖｒｅｆに達成しているか否かの検出を、安定して行うことができる。
【符号の説明】
【００１６】
１０：チャージポンプ回路、１１：チャージポンプ
２０：レベル検出回路、２１：コンパレータ
３０：サンプルホールド回路、３１：Ｄ型フリップフロップ回路
【図１】
2017060318.tif 000003
【図２】
2017060318.tif 000004
【図３】
2017060318.tif 000005
【図４】
2017060318.tif 000006
【図５】
2017060318.tif 000007
【図６】
2017060318.tif 000008
(57)【要約】【課題】本発明は、学術集会の参加者が携帯端末を利用して、自身の位置情報から自身のいる発表会場の演題情報を取得出来るようにした、学術集会演題情報取得システムを提供する。【解決手段】学術集会の演題情報、発表会場情報をサーバ上のデータベースに登録しておく。学術集会の参加者が、携帯端末の位置情報取得機能を利用し、専用アプリケーションまたはＷＥＢページにて、現在位置情報から自身のいる発表会場を判別し、その発表会場の現在の演題情報をサーバ上のデータベースから取得し表示する。  また、聴講したい演題の演題情報をサーバ上のデータベースから取得し、その演題情報の中の会場情報から、聴講したい演題の発表会場と携帯端末から取得した現在地情報を携帯端末の画面上に表示する。  本発明は、以上の機能を設けたことを特徴とする。【選択図】図１
2017060144.tif 000002
【特許請求の範囲】
【請求項１】
学術集会の演題情報、発表会場情報をサーバ上のデータベースに登録しておく。学術集会の参加者が、携帯端末の位置情報取得機能を利用し、専用アプリケーションまたはＷＥＢページにて、現在位置情報から自身のいる発表会場を判別し、その発表会場の現在の演題情報をサーバ上のデータベースから取得し表示する機能を設けた演題情報取得システム。
【請求項２】
また、聴講したい演題の演題情報をサーバ上のデータベースから取得し、その演題情報の中の会場情報から、聴講したい演題の発表会場と携帯端末から取得した現在地情報を携帯端末の画面上に表示する機能を設けた演題情報取得システム。
【発明の詳細な説明】
【技術分野】
【０００１】  本発明は、学術集会の参加者が携帯端末を利用して、自身の位置情報から自身のいる発表会場の演題情報を取得出来るようにした、学術集会演題情報取得システムである。
【背景技術】
【０００２】  従来、学術集会では、プログラム、会場の地図、演題情報を一冊にまとめた冊子の形で配布していた。学術集会の参加者は、自分がいる会場で今現在行われている、または次に行われる演題の情報を得るために、冊子の会場の地図のページを探し、会場の地図を読んで現在の会場を確認し、冊子のプログラムのページを探し、プログラムから現在の会場で今現在行われているあるいは、次に行われる演題名を確認し、冊子の演題情報のページの中から前記の演題名のページを探して、演題情報を取得していた。また、聴講したい演題がある場合には、冊子の演題情報から発表会場名を確認し、冊子の会場の地図のページを探して発表会場を確認し、同会場の地図を読んで現在地を確認し、発表会場への行き方を検討していた。
【発明の概要】
【発明が解決しようとする課題】
【０００３】  これには、次のような欠点があった。
冊子の会場の地図のページを探して、地図を読んで現在地を確認するのが手間であった。
前記の冊子の会場の地図のページで現在地を確認した後、冊子のプログラムのページを探し、プログラムから現在の会場で今現在行われているあるいは、次に行われる演題名を確認し、冊子の演題情報のページの中から前記の演題名のページを探して、演題情報を取得するのが手間であった。
聴講したい演題がある場合にその発表会場の場所を探すために冊子の演題情報から発表会場名を確認し、冊子の会場の地図のページを探して発表会場を確認し、同会場の地図を読んで現在地を確認し、発表会場への行き方を検討するのが手間であった。
【課題を解決するための手段】
【０００４】  学術集会の演題情報をサーバ上のデータベースに登録しておく。学術集会の参加者は、携帯端末で、あらかじめインストールしたアプリケーションの地図画面を開く、または携帯端末のブラウザから専用のＷＥＢページを開くことで、携帯端末内蔵のＧＰＳまたは携帯電話基地局から現在位置情報を取得し、その現在位置情報と現在時刻から現在位置に最も近い発表会場を判別して、その発表会場の今現在行われているまたは、次に行われる演題の演題情報をサーバ上のデータベースから取得し表示する。
また、聴講したい演題の演題情報をサーバ上のデータベースから取得し、その演題情報の中の会場情報から、聴講したい演題の発表会場を専用のアプリケーションまたは携帯端末上の地図画面に表示する。
本発明は、以上の構成よりなる学術集会演題情報取得システムである。
【発明の効果】
【０００５】  現在の会場の場所を知るために、分厚い冊子の中から会場の地図のページを探し、地図を自分で読んで現在地を確認する手間が省ける。
携帯端末の現在位置情報から、現在の会場で今現在行われている、またはこれから行われる演題情報を閲覧することができる。
聴講したい演題情報からすぐにその演題が発表される発表会場と現在地を表示し、地図上で行き方を検討できる。
【図面の簡単な説明】
【０００６】
【図１】本発明の現在位置から演題情報を取得するステップ図である。
【図２】本発明の聴講したい演題から発表会場を取得するステップ図である。
【図３】本発明の演題情報データベースのテーブル例の図である。
【発明を実施するための形態】
【０００７】  以下、本発明を実施するための形態について説明する。
学術集会の演題情報として発表内容のデータ、発表時間、発表会場を登録し、外部からアクセス可能なデータベースサーバ。前記データベースサーバへのアクセスが可能な携帯端末用アプリケーションまたは、ＷＥＢページ。ＧＰＳまたは携帯電話基地局からの現在位置情報取得機能をもち、前記アプリケーションをインストール可能または前記ＷＥＢページを表示可能なブラウザ機能を持った携帯端末。
本発明は、以上の構成よりなる学術集会演題情報取得システムである。
【０００８】  本発明を使用するときは、主催者が事前に学術集会参加者に対して携帯端末用アプリケーションのインストールまたは、専用ＷＥＢページのＵＲＬを通知する。
利用者は専用のアプリケーションの地図画面、または携帯端末のブラウザから専用ＷＥＢページを開く。画面を開くと、携帯端末内蔵のＧＰＳまたは携帯電話基地局からの現在位置情報取得機能を利用し、現在位置座標の特定を行う。その特定した現在位置座標情報から、現在位置に最も近い発表会場を判別して、その発表会場の現在の演題情報を、前記のデータベースサーバ上のデータベースから取得し表示する。
また、聴講したい演題の演題情報を、携帯端末用アプリケーションまたは専用ＷＥＢページからデータベースサーバにアクセスして取得し、その演題情報の中の発表会場情報から、聴講したい演題の発表会場を専用のアプリケケーションまたは携帯端末上の地図画面上に表示する。同時に携帯端末内蔵のＧＰＳまたは携帯電話基地局からの現在位置情報取得機能を利用し、現在位置座標の特定を行う。取得した発表会場情報と特定した現在位置を携帯端末の画面上に表示する。
【０００９】  他の実施例を説明する。
前記のデータベースサーバを、携帯端末用アプリケーション内のデータベースとし、オフラインで利用できるようにしてもよい。
【符号の説明】
【００１０】  １  参加者の携帯端末
【図１】
2017060144.tif 000003
【図２】
2017060144.tif 000004
【図３】
2017060144.tif 000005
(57)【要約】      （修正有）【課題】風雨にさらされる構造物の劣化を抑制し、耐用年数を長くし、合わせて劣化による事故を防止、また病害虫に強く、無農薬で栽培可能な機能水を提供する。【解決手段】構造物の上部に約５メートルの間隔でセラミックを取り付けることにより、セラミック周辺に降り注ぐ雨等を前記セラミックの直接触れることなく、洗浄・防錆等の機能を持つ高機能水に変化させ、あるいは植物の上部に前記セラミックを取り付けることにより・植物の生長促進する高機能水に変化させる。【選択図】なし【特許請求の範囲】
【請求項１】
セラミック類を利用して、周辺に降る雨等を直接触れず、洗浄・防錆・植物の成長促進等のある水に変化させて活用すること全て。
事例
ビルの屋上壁際に５メートル間隔で取り付けると、下方１５メートル位の壁面が雨が降る度に綺麗になり、汚れが付きにくくなる。金属類の錆が防げる等劣化が遅れるので、壁面や看板等の落下事故が減少する。
橋等鉄の構造物の上部に取り付けると錆を防ぐので、川の場合ペンキ塗り等の補修費が不要になる。海の場合も錆びにくくなり補修期間が延長でき、長持ちする。
コンビナートでも同様の効果があるので、構造物の補修費が減り、劣化による事故も減少する。
乗用車等のフロントガラス下部に取り付けると、雨が降りかかるだけで綺麗になり、錆びにくくなる。走行中には車体の下部にも雨がかかるので洗浄だけでなく、錆も防ぐ。車体が長持ちするし、ツヤも出てくる。大型バスでは屋根に追加する。
植木の上部や農場の上方に設置すると植物が元気になり、病虫害に強くなるので、無農薬栽培が可能になる。糖度も増し、大きくなるので商品の付加価値が増す。枯れかかった木でも甦る可能性が非常に高くなる。
抗菌作用もあるので、衛生管理にも活用できる。
【発明の詳細な説明】
【技術分野】
【０００１】セラミック等の周辺に降り注ぐ粒状の液体を一瞬の内に高機能水に変化させる力があることを発見した。その変化は直接接触させて変化した水と同じ能力を持つ。効果は洗浄・防錆・消臭・植物成長促進・防カビ等多岐にわたる。
【背景技術】
【０００２】構造物の劣化は雨風等にさらされ劣化が進むと、耐用年数が短くなるだけでなく、劣化が原因の事故も起きている。セラミックを構造物上部に約５メートル間隔で取り付けるだけで、変化した液体が掛かる部分には防錆や劣化を防ぐ作用が働き、構造物が長持ちするので、保守費用の削減や事故の減少するし、洗浄作用も優れているので、美観が保てる。
車の前部に取り付ければ、雨に降る度に洗浄・防錆効果で汚れが落ち、錆びにくくなり洗車の必要がなくなる。
植物の上部に取り付ければ、病虫害に強くなるので、無農薬栽培も可能になり、糖度が上がるので評価も上がり、農家に経営改善をもたらす。枯れかかった木でも復活する可能性が高くなる。
応用範囲が広いのと、効果が優れているので画期的。
【発明の概要】
セラミックを目的物の上部や前部に針金や両面テープ等で止めるだけで、成果が得られ、素人でも取り付け簡単。
【発明が解決しようとする課題】建造物に利用すれば、耐用年数が長くなり、保守費用等の支出も減らせる。
化学コンビナートでも劣化が原因の事故が起きているが、セラミックを利用すれば、事故のリスクが減り、保守費用も削減出来る。
様々な作業が不用になるので、温暖化ガス削減にも繋がる。
【発明の効果】
【０００３】設置が簡単で、様々な用途に使え、効果も半永久だから、普及に伴うメリットは想像が付かない。
(57)【要約】【課題】  ボトルに設けたケースに水素水発生粒子等を設けてなるもので直接水と接触して水素水を作るもので、ボトル専用であり、本発明のようにチューブを自在に折曲して、容器の大きさに合わせて形状を変化できると共に間接的に水素水を作るため衛生である等の機能・効果はない。また、錠剤カプセル内にトルマリン等を入れてなるもので、これもまた、本発明のようにチューブを自在に折曲して、容器の大きさに合わせて形状を変化できると共に間接的に水素水を作るため衛生である等の機能・効果はない。【解決手段】  導電性を有する折曲自在なチューブ内に、トルマリン粉末を入れてなることを特徴とする。【選択図】図１
2017060935.tif 000002
【特許請求の範囲】
【請求項１】
導電性を有する折曲自在なチューブ内に、トルマリン粉末を入れてなることを特徴とする水素水製造器。
【請求項２】
前記チューブの両端に、着脱自在なキャップを設けてなることを特徴とする請求項１記載の水素水製造器。
【請求項３】
前記チューブ内に、遠赤外線放射物を入れてなることを特徴とする請求項１又は２記載の水素水製造器。
【発明の詳細な説明】
【技術分野】
【０００１】  本発明は、電気ポットや風呂に入れ水素水を製造する水素水製造器に関するものである。
【背景技術】
【０００２】  周知のとおりトルマリン原石や粉末は水分に触れると瞬間的に水分に放電します。これにより周囲の水は軽い電気分解を起こし、水素イオンと水酸イオン（ＯＨ−）に分解します。
そして、人間の体に最も良い状態である弱アルカリ状態で安定します。
また、水酸イオン（ＯＨ−）は周囲の水分子と結合してヒドロキシルイオンという海面活性物質であるマイナスイオンになります。
マイナスイオンには、鎮痛・快眠・食欲増進・疲労防止等の効果があります。
トルマリンは電気石といわれています。つまり、結晶にはプラス極とマイナス極があります。
よって、マイナス電極から絶えずプラス電極に向けて電流が流れるものです。
従来の技術として、ボトルに設けたケースに、マグネシウム、黒曜石、トルマリン、抗菌砂、風化サンゴ等の水素水発生粒子、炭酸水発生粒子、またミネラル発生粒子、或いは塩素除去粒子等の改良水八生体を充填したマグネシウム、またはステンレス製等の多数の透孔を備えた金属素材及び／又は透水性の筒状本体を収容し、前記ケースを前記ボトル及び／又はキャップに取付け、取外し自在に設けたことを特徴とする味覚改良剤を備えたボトルがある。（特許文献１参照）【０００３】  また、別の従来技術として、多数の孔を有する多面体でなる軟質性で、内外の何れかにネットを備えた錠剤カプセル内に、マグネシウムを含む複数の粒子でなる水素水発生剤を充填した水素発生具であって、水素水発生具を圧縮して、ペットボトル、瓶でなる容器の口から収容し、収容後に、水素発生具が復帰し、口より大径となる構造とした軟質特性を備えた水素発生具がある。（特許文献２参照）
【先行技術文献】
【特許文献】
【０００４】
【特許文献１】  特開２００５−７３８０号公報
【特許文献２】  特開２０１３−８２５８５号公報
【発明の概要】
【発明が解決しようとする課題】
【０００５】  前記前者は、ボトルに設けたケースに水素水発生粒子等を設けてなるもので直接水と接触して水素水を作るもので、ボトル専用であり、本発明のようにチューブを自在に折曲して、容器の大きさに合わせて形状を変化できると共に間接的に水素水を作るため衛生である等の機能・効果はない。【０００６】  前記後者は、錠剤カプセル内にトルマリン等を入れてなるもので、これもまた、本発明のようにチューブを自在に折曲して、容器の大きさに合わせて形状を変化できると共に間接的に水素水を作るため衛生である等の機能・効果はない。【０００７】  本発明は、このような従来の構造が有していた問題を解決しようとするものであり、折曲自在なチューブ内にトルマリン粉末を入れることにより、容器に合わせて形状を変えることができる水素水製造器を提供することを目的とする。
【課題を解決するための手段】
【０００８】  本発明は、上記目的を達成するため、導電性を有する折曲自在なチューブ内に、トルマリン粉末を入れてなること。前記チューブの両端に、着脱自在なキャップを設けてなること。前記チューブ内に、遠赤外線放射物を入れてなることを特徴とする。
【発明の効果】
【０００９】１）、導電性を有する折曲自在なチューブ内に、トルマリン粉末を入れることにより、容    器の大きさに関係なく使用できる。
２）、トルマリンが、導電性のチューブ外へ電気（静電気）を放出することにより、水素    水を作ることができるため、トルマリンを洗って干す等の手間が掛からず、使用でき    るものである。
３）、チューブの両端にキャップを設けるとことにより、他の遠赤外線放射物質を付加す    ることができる。
【図面の簡単な説明】
【００１０】
【図１】  本発明の一実施例を示す水素水製造器の正面図。
【図２】  本発明の一実施例を示す水素水製造器をリング状に折曲した状態図。
【図３】  本発明の一実施例を示す水素水製造器を渦巻き状に折曲した状態図。
【図４】  本発明の一実施例を示す水素水製造器の使用状態図。
【発明を実施するための形態】
【００１１】  水素水製造器１は、導電性を有する例えばステンレス製による円筒状のチューブ２内に、トルマリン粉末Ｔを入れてなると共に、両端にナットによるキャップ３を螺設してある。（図１参照）
【００１２】  この水素水製造器１は、折曲自在なチューブによりリング状にもできる。（図２参照）
また、スパイラル状に形成できる。（図３参照）
【００１３】  つぎに、水素水製造器１の使用例について説明する。
例えば、電気ポットＤ内にスパイラル状に形成した水素水製造器１を入れ、スイッチ（加熱）することにより、水素水製造器１が温められチューブ２内のトルマリン粉末Ｔの放電が活発になり、導電性のチューブ２から電気ポットＤ内の水Ｍに通電・放電することにより水Ｍを水素水に変換するものである。
なお、１ｌの電気ポットＤでの水素の溶存量は１．０８ｍｇ／ｌであった。
【００１４】  上記実施例において、チューブの材質は、導電性があれば特に限定するものではない。
また、チューブの大きさ等も必要に応じて決めればよい。
さらに、チューブ内に入れるトルマリンの種類や大きさ、その他遠赤外線放射物質（水素を早く温める作用がある）としてのセラミックス等も必要に応じて決めればよい。
さらにまた、使用例としては、風呂用等、色々考えられる。
【産業上の利用の可能性】
【００１５】  容器の大きさや形状に対応して形状を変更できるため、電気ポットや各種調理器具、風呂等、色々なものに使用できる。
【符号の説明】
【００１６】１―――水素水製造器
２―――チューブ
３―――キャップ
Ｔ―――トルマリン粉末
Ｍ―――水
Ｄ―――電気ポット
【図１】
2017060935.tif 000003
【図２】
2017060935.tif 000004
【図３】
2017060935.tif 000005
【図４】
2017060935.tif 000006
(57)【要約】【課題】          太陽自動追尾型の太陽光発電装置の先行提案例では受光パネルが一番上に位置しているために機構が複雑になり、かつ重心移動が大きく、駆動の為により多くの電力が必要となる。風力発電と太陽光発電のハイブリッド発電装置において、受光パネルの太陽自動追尾機構を簡略化し、省エネ化すること。【解決手段】    風力発電の支柱１の中間部に、支柱１と直角に太陽光発電の受光パネルの      回転軸３を設定し、受光パネルの太陽自動追尾にて重心の移動がほとんど発生しないように動かすことで、省エネ化を達成する。【選択図】    図１
2017060216.tif 000002
【特許請求の範囲】
【請求項１】
太陽光発電と風力発電との複合機のうち、太陽光発電の太陽自動追尾機構が支柱の中間部分に位置する太陽光発電と風力発電のハイブリッド発電装置。
【発明の詳細な説明】
【技術分野】
【０００１】
本発明は、太陽に向かって受光パネルが常に正対するように駆動する太陽光発電装置に関するものである。
【背景技術】
【０００２】
もし受光パネルが固定であれば、地球の自転によって太陽は常に動きまわり、受光パネルは一日のうちのほとんどの時間で正対することがなく、特に朝日や夕日などでは大きく角度を持ってしまい、発電効率が極端に低下することになる。
従って、太陽に対して常に正対して動く受光パネルは発電効率が高くなるため、太陽自動追尾型の太陽光発電装置が既に提案されている。
【先行技術文献】
【特許文献】
【０００３】
【特許文献１】特開２０１０−４０７７９号公報
【特許文献２】特開２００９−２６６８９０号公報
【特許文献３】特開２００６−８０４５５号公報
【発明の概要】
【発明が解決しようとする課題】
【０００４】
太陽自動追尾型の太陽光発電装置の先行提案例では受光パネルが一番上に位置しているために機構が複雑になり、かつ重心移動が大きく、駆動の為により多くの電力が必要となる。
【課題を解決するための手段】
【０００５】
風力発電機の支柱の中間に、支柱と直角方向の軸を設置し、その軸を回転軸    
として受光パネルを回転させることにより、重心移動が最小に抑えられ、よ
り少ない電力で駆動が可能となる。
【発明の効果】
【０００６】
本発明では、従来の提案の太陽自動追尾に使用される電力に比べて大幅に低下する為、得られる電力のほとんどがそのまま公共の電力として提供が可能となる。
【図面の簡単な説明】
【０００７】
【図１】太陽自動追尾機構が支柱の中間部分に位置する太陽光発電と風力発電のハイブリッド発電装置の全体図。
【図２】太陽自動追尾機構が支柱の中間部分に位置する太陽光発電と風力発電のハイブリッド発電装置の受光パネル部を上からみた図。
【発明を実施するための形態】
【０００８】
太陽自動追尾の大型の受光パネルの駆動装置において、構造を簡略化し、重心移動を極力少なくする。
【実施例１】
【０００９】
図１、図２において、風力発電の支柱1に直角に受光パネルの回転軸３を設
地し、支柱1に固定されたベアリングボックス５を介すことで、摩擦を最小
に抑えながら回転可能な構造とする。又、支柱１は土台４に対して水平方向の回転をする構造とする。
【００１０】
図２において、受講パネルの回転軸３には歯車６を設定し、逆回転防止の為ウオーギヤに連結されたモーターを介して受光パネルを回転させる構造とする。
【産業上の利用可能性】
【００１１】
１本の支柱により、風力発電と大型の受光パネルを持つ太陽光発電のハイブ
リッド発電装置が設置されるため、土台を地中深く埋め込むことで、新たな
土地を開墾せずとも、森林や公園等の樹木と共存しながら設置が可能となる他、雪国でも自動追尾機構を使って雪を落とすことが可能となるため、比較的遅れをとっていた雪国での再生可能エネルギーの発展に寄与すると考えられる。
【符号の説明】
【００１２】
１  支柱
２  受光パネル
３  受光パネルの回転軸
４  土台
５  受光パネルの回転軸３を保持するギヤボックス
６  受光パネルの回転軸３に固定されたギヤ
【図１】
2017060216.tif 000003
【図２】
2017060216.tif 000004